(57)【要約】【課題】フォトモザイクの組み合わせにより作り上げようとする画像を鮮明且つ、作業時間を短縮し、大量の画像を必要としない方法で画像を構成する。【解決手段】組み合わせにより作り上げようとする画像を作成し、画像を構成する一つ一つの画像を作り上げようとする画像にあわせ、コントラスト、彩度、明暗を調節し配列配置する。組み合わせた画像の上に画像重ねる。さらに画像を重ねる事で、画像を構成する一つ一つの画像、及び作り上げようとする画像の両方を鮮明に表現することができる。【選択図】図１
2006330904.tif 000002
【特許請求の範囲】
【請求項１】
コンピューターを用いて写真加工用ソフトによりフォトモザイク画像を合成加工する方法であって、作り上げようとする全体カラー画像を作成する第一工程、次ぎに前記全体カラー画像をフォトモザイク画像構成させようとするピースの数に応じて分割する第二工程、次ぎに前記分割画面に合わせ他の画像を挿入する第三工程、次ぎに前記挿入画像を全体画像に連動させコントラスト・彩度・明暗を調節し配置するが、この時挿入する画像の最も明るい部分のグレースケールのパーセンテージは３０〜４０％に調節し、また最も暗い部分のグレースケールのパーセンテージは６０〜７０％程度に調節して、組み合わせ画像を作成する第四工程、次ぎに前記全体カラー画像をグレースケールに変換し、全体グレー画像を作成する第五工程、前記組み合わせ画像に前記全体グレー画像の透明度または塗りの濃度を、全体グレー画像本来の濃度に対し約７０％に下げるが、この時全体グレー画像を重ねる事によって、組み合わせ画像が確認しづらいと思われる時は、その見えづらい部分の全体グレー画像の濃度をさらに下げる第六工程、前記組み合わせ画像に全体グレー画像を重ね組み合わせグレー画像を作成する第七工程、次ぎに前記全体カラー画像の透明度または塗りの濃度を、全体カラー画像本来の濃度に対し約２０％に下げたカラー２０画像を作成する第八工程、次ぎに前記組み合わせグレー画像に前記カラー２０画像を重ね、組み合わせカラー画像を作成する第九工程、次ぎに組み合わせカラー画像を構成するすべての画像を結合する第十工程、以上の工程に従って完成画像を作成することを特徴とするフォトモザイク画像の合成加工方法。
【発明の詳細な説明】
【技術分野】
【０００１】
本発明は、より鮮明なフォトモザイクアートに関する。
【背景技術】
【０００２】
ポップアートの手法でフォトモザイクと言われるものがある。これは、小さな写真をモザイク状に貼り合わせて一つの写真や絵を作り上げるものである。以前は苦労して写真を貼り合わせていたが、最近ではモザイクのピースとなる画像の色調を数値的に解析し、自動的にフォトモザイクを作ってくれるコンピューターソフトも出ている。この手法は、モザイクのピースとなる写真にテーマ性を持たせることで、作品自体に付加価値を付けられる点が特徴である。
【発明の開示】
【発明が解決しようとする課題】
【０００３】
従来のコンピューターを用いるフォトモザイクでは、大量の画像（２，０００枚程）を用いなければ細かな部分（例えば人物の顔の曲線）が表現できない。
【０００４】
構成する一つ一つの画像を鮮明に表現する為に３センチ角程の大きさで構成して、作り上げた画像を認識する為には、３ｍから４ｍ程の十分な距離を置かないと認識できず、また作り上げた画像をより近距離で認識させようと試みると、構成する画像は肉眼では確認し難い程小さなものになってしまう。
【０００５】
また単に画像を配列する技法であるため、組み合わせる事によって得られる画像は鮮明さに欠けた。また、作り上げる画像の色彩や形態によっては、構成する一つ一つの画像が同じ画像を重複して使わなければならない場合が多かった。
【０００６】
本発明はこのような従来の技法を発展させ、より少ない画像での表現を目的とし、且つ、構成する一つ一つの画像と、組み合わせにより作り上げようとする画像をそれぞれ鮮明に表現する方法を用いた物である。
【課題を解決するための手段】
【０００７】
本発明は、上記目的を解決するため、コンピューターで写真加工用ソフトを用い、作り上げようとする全体カラー画像を作成する。その全体カラー画像をフォトモザイク画像構成させようとするピースの数に応じて分割する。
【０００８】
分割画面に合わせ他の画像を挿入する。挿入した画像を全体画像に連動させコントラスト・彩度・明暗を調節し配置し組み合わせ画像を作成する。この時挿入する画像の最も明るい部分のグレースケールのパーセンテージを３０〜４０％にし、また、最も暗い部分のグレースケールのパーセンテージを６０〜７０％にする。
【０００９】
次に全体カラー画像をグレースケールに変換し、全体グレー画像を作成する。前記組み合わせ画像に全体グレー画像の透明度または塗りの濃度を、全体グレー画像本来の濃度に対し約７０％に下げた物を重ね、組み合わせグレー画像を作成する。これは、作り上げようとする画像のディティールをより明確とする為である。この時、全体グレー画像を重ねる事によって、組み合わせ画像が確認しづらいと思われる時は、その見えづらい部分の全体グレー画像の濃度をさらに下げる。
【００１０】
次に全体カラー画像の透明度または塗りの濃度を、全体カラー画像本来の濃度に対し約２０％に下げた画像を、さらに組み合わせグレー画像に重ね、組み合わせカラー画像を作成する。これは、作り上げようとする画像の質感をより明確とする為である。組み合わせカラー画像を構成するすべての画像を結合し、完成画像を作成する。これをプリントアウトする事でフォトモザイク画像を得られる。
【００１１】
上記課題解決手段により、組み合わせ画像を構成する一つ一つの画像、及び完成画像の両方を鮮明に表現でき、また、組み合わせ画像を構成する一つ一つの画像を従来の物よりも大きく、また自由に使用する事ができる。
【発明の効果】
【００１２】
本発明方法によりフォトモザイク画像を構成すると、全体カラー画像の色合いに合わせて、組み合わせ画像を構成する一つ一つの画像を重複して使用する必要が無くなり、また全体カラー画像の形態に囚われず、さまざまな画像を組み合わせる事ができる。
【００１３】
画像が鮮明になった事で、冊子ではない平面の写真集を作ることができるため、自由な構成の写真集を壁面に装飾することができる。
【００１４】
完成画像も従来の物よりも鮮明に出来る為、近距離からでも完成画像の形態の認識が容易である。
【発明を実施するための最良の形態】
【００１５】
本発明の方法を図１の工程図を参照しながら説明する。
（人物の顔の画像）を（いろいろな動物の画像）１００個を用いてＡ３サイズで作成する例によって以下説明する。
【００１６】
第一工程１では、写真加工コンピューターソフトを用いて（人物の顔の画像）のカラー原画をＡ３サイズの縦横の比率を合わせ作成した。この時（人物の顔の画像）の背景が単一色、または単純な階調の背景で無い場合は、（人物の顔の画像）の背景を、単一色または単純な階調の背景に置き換えた。
【００１７】
次ぎに第二工程２では、（人物の顔の画像）で作った原画を、フォトモザイク画像を構成させようとするピース数に合わせ１０ピース×１０ピースの１００ピースに分割し、分割顔画像を作成した。
【００１８】
次ぎに第三工程３では、（いろいろな動物の画像）をスキャナや画像データから約１００種類読み込み、読み込んだそれらの画像を各ピースの大きさに合わせ切り抜き、分割顔画像に合わせ調節して挿入し配置して、組み合わせ動物画像を作成した。
【００１９】
次ぎに第四工程４では、配置した動物画像のコントラスト・彩度・明暗を調節した。例えば、パンダの画像を挿入する場合は、黒い毛の部分等の暗い部分のグレースケールのパーセンテージを６０〜７０％程度にし、また白い毛の部分等の明るい部分のグレースケールのパーセンテージを３０〜４０％程度に、コントラスト及び明暗を調節した。また、草の部分や木の部分等が全体として見た時に目立たぬ様、彩度を落とした。
【００２０】
次ぎに第五工程５では、カラー原画をグレースケールに変換しグレー原画を作成した。
【００２１】
次ぎに第六工程６では、グレー原画の透明度または塗りの濃度をカラー原画本来の濃度に対し約７０％に下げ、グレー顔画像を作成した。
【００２２】
次ぎに第七工程７では、グレー顔画像を組み合わせ動物画像に乗せ、組み合わせグレー画像を作成した。この時、グレー顔画像を重ねる事によって、組み合わせ動物画像が確認しづらいと思われる時、例えばグレー顔画像の頬にあたる部分に配置した熊の画像が見えづらいと思われたので、グレー顔画像の頬部分の濃度をさらに下げた。
【００２３】
次ぎに第八工程８では、カラー原画の透明度または塗りの濃度を、カラー原画本来の濃度に対し約２０％に下げた、カラー顔画像を作成した。
【００２４】
次ぎに第九工程９では、カラー顔画像を組み合わせグレー画像に乗せ、組み合わせカラー画像を作成した。
【００２５】
次ぎに第十工程１０では、組み合わせカラー画像を構成するすべての画像を結合し、完成画像を作成した。
【００２６】
次ぎに第十一工程１１では、完成画像をＡ３サイズに拡大・縮小しプリントアウトした。
【図面の簡単な説明】
【００２７】
【図１】本発明の画像合成加工の工程説明図
【符号の説明】
【００２８】
１  コンピューターで全体カラー画像の原画を作成する第一工程。
２  原画を分割する第二工程。
３  分割画面に合わせ、他の画像を挿入する第三工程。
４  挿入画像を全体画像に連動させ、コントラスト・彩度・明暗を調節し配列配置し、組み合わせ画像を作成する第四工程。
５  全体カラー画像を変換し、全体グレー画像作成する第五工程。
６  前記全体グレー画像の透明度または塗りの濃度を変更した、グレー７０画像作成する第六工程。
７  前記組み合わせ画像にグレー７０画像を重ね、組み合わせグレー画像作成する第七工程。
８  前記全体カラー画像の透明度または塗りの濃度を変更した、カラー２０画像作成する第八工程。
９  前記組み合わせグレー画像にカラー２０画像を重ね、組み合わせカラー画像作成する第九工程。
１０  前記組み合わせカラー画像を構成する、すべての画像を結合し、完成画像作成する第十工程。
１１  前記完成画像プリントアウトする第十一工程。
【図１】
2006330904.tif 000003